(57)【要約】【課題】ビジネスカードを利用して、ビジネスカードに記載されている以上のより詳細な情報を表示する。【解決手段】端末１０は、名刺に記載されたＱＲコードを読み取ることにより、個人情報を閲覧したいユーザの識別情報を取得する。そして、取得した識別情報を含んだ個人情報の閲覧要求を、インターネット３０を介して、管理サーバ２０に送信する。管理サーバ２０は、端末１０から受信した閲覧要求に基づいて、データベースから対応する社員の個人情報を取得し、プロフィール閲覧画面を作成して、端末１０に送信する。そして、端末１０は、プロフィール閲覧画面を表示する。また、個人情報管理システム１００は、人脈検索機能、他のサービスサイトの認証・入力代行機能、および、電子証明書発行機能も有する。【選択図】図１
2011086198.tif 000002
【特許請求の範囲】
【請求項１】
端末と、ユーザ毎に該ユーザの識別情報と個人情報と他のユーザの識別情報を含むアドレス帳情報とが登録されているデータベースを備える管理サーバと、が通信ネットワークを介して接続されている個人情報管理システムであって、
前記端末は、
ビジネスカードに記載されたコード情報を読み取ることにより、個人情報を閲覧したいユーザの識別情報を取得する識別情報取得手段と、
前記識別情報取得手段によって取得された識別情報を含んだ個人情報の閲覧要求を前記管理サーバに送信する閲覧要求送信手段と、を備え
前記管理サーバは、
前記端末から受信した閲覧要求に基づいて、該閲覧要求に含まれる識別情報で識別されるユーザの個人情報を前記データベースから取得する個人情報取得手段と、
前記個人情報取得手段によって取得された個人情報を前記閲覧要求の送信元である端末に送信する個人情報送信手段と、を備え、
前記端末は、前記管理サーバから送信された個人情報を表示する個人情報表示手段を備える、
ことを特徴とする個人情報管理システム。
【請求項２】
前記端末は、検索条件を指定したユーザ検索要求を前記管理サーバに送信する手段を更に備え、
前記管理サーバは、前記端末から受信したユーザ検索要求に基づいて、検索条件に合致するユーザを検出するユーザ検出手段と、
前記データベースを参照して、検索要求を受信した前記端末のユーザを起点として、アドレス帳情報に登録されているユーザを辿っていくことにより前記ユーザ検出手段によって検出されたユーザに到達するまでの人脈を特定する人脈特定手段と、
前記人脈特定手段によって特定された人脈を規定する人脈情報を端末に送信する人脈送信手段と、を備え、
前記端末は、管理サーバから受信した人脈情報に基づいて、該端末のユーザから前記ユーザ検出手段によって検出されたユーザに到達するまでの人脈を表示する、
ことを特徴とする請求項１に記載の個人情報管理システム。
【請求項３】
前記管理サーバは、前記端末から受信した閲覧要求に含まれる識別情報で識別されるユーザを、該端末のユーザのアドレス帳情報に登録するアドレス帳登録手段を備える、
ことを特徴とする請求項１又は２に記載の個人情報管理システム。
【請求項４】
前記端末は、
前記端末に表示されたユーザの個人情報をＣＳＶ（Comma-Separated Values）形式に変換して出力する、
ことを特徴とする請求項１乃至３の何れか１項に記載の個人情報管理システム。
【請求項５】
前記管理サーバは、前記データベースに登録されている個人情報を用いて、所定のサービスにおける認証処理及び／又は入力処理の代行を行う代行手段を備える、
ことを特徴とする請求項１乃至４の何れか１項に記載の個人情報管理システム。
【請求項６】
前記管理サーバは、前記端末からの要求に応じて、前記データベースに登録されている個人情報を用いて、該端末のユーザ本人であることを証明する電子証明書を発行する、
ことを特徴とする請求項１乃至５の何れか１項に記載の個人情報管理システム。
【請求項７】
前記管理サーバは、ユーザが他ユーザによってアドレス帳に登録された回数に基づいて、当該ユーザの信頼性を判別する信頼性判別手段をさらに備える、
ことを特徴とする請求項１乃至６の何れか１項に記載の個人情報管理システム。
【請求項８】
ユーザ毎に該ユーザの識別情報と個人情報と他のユーザの識別情報を含むアドレス帳情報とが登録されているデータベースを備え、端末と通信ネットワークを介して接続されている管理サーバであって、
前記端末から受信した閲覧要求に基づいて、該閲覧要求に含まれる識別情報で識別されるユーザの個人情報を前記データベースから取得する個人情報取得手段と、
前記個人情報取得手段によって取得された個人情報を前記閲覧要求の送信元である端末に送信する個人情報送信手段とを備える、
ことを特徴とする管理サーバ。
【請求項９】
コンピュータを、
端末から通信ネットワークを介して受信した個人情報閲覧要求に基づいて、該閲覧要求に含まれる識別情報で識別されるユーザの個人情報を取得する個人情報取得手段、
前記個人情報取得手段によって取得された個人情報を前記閲覧要求の送信元である端末に送信する個人情報送信手段、
として機能させることを特徴とするプログラム。
【発明の詳細な説明】
【技術分野】
【０００１】
本発明は、個人情報管理システム、管理サーバ、及び、プログラムに関する。
【背景技術】
【０００２】
ビジネスの場において、初対面の人と接する場合に、名刺の交換が行われることが多い。名刺交換によって集めた名刺を管理するために、コンピュータを利用した各種の名刺管理ツールがある。例えば、特許文献１には、名刺に記載されている情報をＯＣＲで読み取り、データベース化してコンピュータに保存することが記載されている。
【先行技術文献】
【特許文献】
【０００３】
【特許文献１】特開２００７−１８３７５４号公報
【発明の概要】
【発明が解決しようとする課題】
【０００４】
名刺は比較的小さいサイズであるため、名刺に記載する情報には限りがある。従って、特許文献１のように名刺に記載されている情報をデータベース化しても、ビジネスの上で十分な情報を収集できているとはいえない。
【０００５】
本活動は、上記実情に鑑みてなされたものであり、名刺に代表されるビジネスカードを利用して、ビジネスカードに記載されている以上のより詳細な情報を表示することができる、個人情報管理システム、管理サーバ、および、プログラムを提供することを目的とする。
【課題を解決するための手段】
【０００６】
上記目的を達成するため、本発明の第１の観点に係る個人情報管理システムは、
端末と、ユーザ毎に該ユーザの識別情報と個人情報と他のユーザの識別情報を含むアドレス帳情報とが登録されているデータベースを備える管理サーバと、が通信ネットワークを介して接続されている個人情報管理システムであって、
前記端末は、
ビジネスカードに記載されたコード情報を読み取ることにより、個人情報を閲覧したいユーザの識別情報を取得する識別情報取得手段と、
前記識別情報取得手段によって取得された識別情報を含んだ個人情報の閲覧要求を前記管理サーバに送信する閲覧要求送信手段と、を備え
前記管理サーバは、
前記端末から受信した閲覧要求に基づいて、該閲覧要求に含まれる識別情報で識別されるユーザの個人情報を前記データベースから取得する個人情報取得手段と、
前記個人情報取得手段によって取得された個人情報を前記閲覧要求の送信元である端末に送信する個人情報送信手段と、を備え、
前記端末は、前記管理サーバから送信された個人情報を表示する個人情報表示手段を備える、
ことを特徴とする。
【０００７】
前記端末は、検索条件を指定したユーザ検索要求を前記管理サーバに送信する手段を更に備え、
前記管理サーバは、前記端末から受信したユーザ検索要求に基づいて、検索条件に合致するユーザを検出するユーザ検出手段と、
前記データベースを参照して、検索要求を受信した前記端末のユーザを起点として、アドレス帳情報に登録されているユーザを辿っていくことにより前記ユーザ検出手段によって検出されたユーザに到達するまでの人脈を特定する人脈特定手段と、
前記人脈特定手段によって特定された人脈を規定する人脈情報を端末に送信する人脈送信手段と、を備え、
前記端末は、管理サーバから受信した人脈情報に基づいて、該端末のユーザから前記ユーザ検出手段によって検出されたユーザに到達するまでの人脈を表示してもよい。
【０００８】
前記管理サーバは、前記端末から受信した閲覧要求に含まれる識別情報で識別されるユーザを、該端末のユーザのアドレス帳情報に登録するアドレス帳登録手段を備えてもよい。
【０００９】
前記端末は、
前記端末に表示されたユーザの個人情報をＣＳＶ（Comma-Separated Values）形式に変換して出力してもよい。
【００１０】
前記管理サーバは、前記データベースに登録されている個人情報を用いて、所定のサービスにおける認証処理及び／又は入力処理の代行を行う代行手段を備えてもよい。
【００１１】
前記管理サーバは、前記端末からの要求に応じて、前記データベースに登録されている個人情報を用いて、該端末のユーザ本人であることを証明する電子証明書を発行してもよい。
【００１２】
前記管理サーバは、ユーザが他ユーザによってアドレス帳に登録された回数に基づいて、当該ユーザの信頼性を判別する信頼性判別手段をさらに備えてもよい。
【００１３】
上記目的を達成するため、本発明の第２の観点に係る管理サーバは、
ユーザ毎に該ユーザの識別情報と個人情報と他のユーザの識別情報を含むアドレス帳情報とが登録されているデータベースを備え、端末と通信ネットワークを介して接続されている管理サーバであって、
前記端末から受信した閲覧要求に基づいて、該閲覧要求に含まれる識別情報で識別されるユーザの個人情報を前記データベースから取得する個人情報取得手段と、
前記個人情報取得手段によって取得された個人情報を前記閲覧要求の送信元である端末に送信する個人情報送信手段とを備える、
ことを特徴とする。
【００１４】
上記目的を達成するため、本発明の第３の観点に係るプログラムは、
コンピュータを、
端末から通信ネットワークを介して受信した個人情報閲覧要求に基づいて、該閲覧要求に含まれる識別情報で識別されるユーザの個人情報を取得する個人情報取得手段、
前記個人情報取得手段によって取得された個人情報を前記閲覧要求の送信元である端末に送信する個人情報送信手段、
として機能させることを特徴とする。
【発明の効果】
【００１５】
本発明によれば、名刺（ビジネスカード）に記載されたコードを端末で読み取ることにより、プロフィール閲覧画面がユーザの端末に表示される。従って、ビジネスカードを利用して、ビジネスカードに記載されている以上のより詳細な情報を表示することができる。
【図面の簡単な説明】
【００１６】
【図１】本発明の実施形態に係る個人情報管理システムの構成を示す図である。
【図２】端末の構成を示すブロック図である。
【図３】ＱＲコードが記載された名刺の例を示した図である。
【図４】管理サーバの構成を示すブロック図である。。
【図５】会社ＤＢに記憶されている会社情報の構成例を示す図である。
【図６】社員ＤＢに記憶されている社員情報の構成例を示す図である。
【図７】プロフィール表示処理の動作を説明するためのフローチャートである。
【図８】プロフィール閲覧画面の例を示した図である。
【図９】人脈検索処理の動作を説明するためのフローチャートである。
【図１０】検索条件入力画面の例を示した図である。
【図１１】人脈検索結果画面の例を示した図である。
【図１２】認証・入力代行処理における端末の画面遷移図である。
【図１３】電子証明書発行処理の動作を説明するためのフローチャートである。
【図１４】証明書発行画面の例を示した図である。
【図１５】認証マークが表示されるプロフィール閲覧画面の例を示した図である。
【発明を実施するための形態】
【００１７】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１８】
本発明の実施形態に係る個人情報管理システム１００について説明する。個人情報管理システム１００は、各企業の社員に関する個人情報（プロフィール）を管理・活用して、ビジネスの場における社員のコミュニケーション効率を向上させることを目的に構築されたシステムである。
【００１９】
個人情報管理システム１００は図１に示すように、複数の端末１０と管理サーバ２０とを備えて構成される。管理サーバ２０と各端末装置１０は、インターネット３０を介して、互いに通信可能に接続されている。なお、端末および管理サーバは、インターネット３０を介して、他のサービスサイト（オンライン銀行、ネットゲームサイト、ＥＣサイト等）にも接続されている。
【００２０】
端末１０は、当該システム１００の登録ユーザである企業の社員により操作される、携帯電話やＰＣ（Personal Computer）等である。端末１０にはブラウザが搭載されており、インターネット接続機能（Ｗｅｂアクセス機能）を有し、管理サーバ２０が提供する個人情報管理サイトの画面が表示される。
【００２１】
端末１０は、図２に示すように、通信部１１、記憶部１２、操作部１３、表示部１４、コード読取部１５、制御部１６、及び上記各部を相互に接続するシステムバス１７を備える。
【００２２】
通信部１１は、アンテナや無線通信デバイスなどを備え、インターネット３０を介して、管理サーバ２０と各種の情報を送受信する。
【００２３】
記憶部１２は、ＲＡＭ（Random Access Memory）、ＲＯＭ（Read Only Memory）、補助記憶装置等の記憶装置によって構成され、各種固定データや各種プログラム、および、端末に表示させる各種画面のテンプレート等を記憶する。また、記憶部１２は、制御部１６の作業領域となる。
【００２４】
操作部１３はキーボードなどから構成され、ユーザからの操作に対応した操作信号を制御部１６に供給する。表示部１４は、表示パネル及びドライバ回路等から構成され、管理サーバ２０が管理するサイトの画面や社員の個人情報（プロフィール）等を表示する。
【００２５】
コード読取部１５は、カメラ等を備え、図３に示すような名刺等のビジネスカードに印字されているＱＲコードを読み取り、読み取ったＱＲコードから、当該名刺の人物を識別する情報（例えば、社員ＩＤ）を抽出し、制御部１６に入力する。
【００２６】
図２に戻り、制御部１６は、マイクロプロセッサユニット等から構成され、記憶部１２に記憶されているプログラムを実行することで、端末１０全体の動作（各部の動作）を制御する。
【００２７】
図１に戻り、管理サーバ２０は、各会員の個人情報（プロフィール）を管理する。管理サーバ２０は図４に示すように、通信部２１と、記憶部２２と、制御部２３、及び上記各部を相互に接続するシステムバス２４を含んで構成されている。
【００２８】
通信部２１は、ネットワークカード等を備え、インターネット３０を介して、各端末１０とデータの送受信を行う。
【００２９】
記憶部２２は、ＲＡＭ（Random Access Memory）、ＲＯＭ（Read Only Memory）、補助記憶装置等の記憶装置によって構成され、各種固定データ（自身に設定されている電話番号等）及び、各種プログラムを記憶する。また、記憶部２２は、制御部２３の作業領域も有する。また、記憶部２２は、会社ＤＢ（データベース）２２１と社員ＤＢ２２２とを備える。
【００３０】
会社ＤＢ２２１には、個人情報管理システム１００と利用契約を結んでいる会社毎に、会社に関する各種の情報（会社情報）が記憶される。会社情報は、例えば、図５に示すような、会社ＩＤ、会社名、住所、電話番号、会社ホームページのＵＲＬ、ロゴ画像等から構成される。
なお、ロゴ画像は、端末１０に表示される画面のヘッダ部分に表示される画像である。例えば、会社の管理者が端末１０を操作して、管理サーバ２０が提供する会社情報入力画面に所定情報を入力することで、会社ＤＢ２２１に会社情報が登録される。また、会社情報は、管理者以外の一般の社員からは登録や変更ができない情報である。
【００３１】
社員ＤＢ２２２には、個人情報管理システム１００に登録されている社員毎に、社員に関する各種の情報（社員情報）が記憶される。社員情報は、例えば、図６に示すような、社員ＩＤ、パスワード、氏名、顔画像、性別、会社ＩＤ、趣味、特技、学歴、職歴、自己ＰＲ、所属部署、携帯電話番号、メールアドレス、生年月日、出身地、アドレス帳情報等から構成される。
なお、社員情報に会社ＩＤが含まれているため、社員の所属する会社の会社情報を会社ＤＢ２２１から取得することができる。また、アドレス帳情報は、社員がアドレス帳に登録した他の社員の社員ＩＤが格納される。図６の例では、社員ＩＤ「Ｅ００１」の社員は、自身のアドレス帳に社員ＩＤ「Ｅ００２」、「Ｅ００３」、「Ｅ００４」の３人の社員を登録していることとなる。
なお、社員情報を構成するこれらの情報毎に、他者に公開するか否かを示すフラグも社員ＤＢ２２２に記憶されているものとする。社員情報は、社員が端末を操作して、管理サーバが提供する社員情報入力画面に所定情報を入力することで登録される。
【００３２】
図４に戻り、制御部２３は、マイクロプロセッサユニット等から構成され、記憶部２２に記憶されているプログラムを実行することで、管理サーバ２０全体の動作（各部の動作）を制御する。
【００３３】
また、制御部２３は、端末１０からの要求に基づいて、社員のプロフィールを表示させるプロフィール表示処理を実行する。また、制御部２３は、検索者から検索条件に合致する人物までの人脈を検出する人脈検索を実行する。さらに、個人情報管理システム１００は、予め契約を結んだ他のサービスにおける、ログイン時の認証や、会員登録などの処理を代行する、認証・入力代行処理を実行する。さらに、制御部２３は、端末１０からの要求に基づいて、指定された所定のサイトに対して、当該端末１０のユーザ本人であることを証明する電子証明書を発行する電子証明書発行処理を実行する。なお、プロフィール表示処理、人脈検索処理、および、電子証明書発行処理の詳細については後述する。
【００３４】
続いて、個人情報管理システム１００で実施される処理の動作について説明する。
【００３５】
（プロフィー表示処理）
始めに、名刺に印刷されているＱＲコードから、当該名刺に関連する人物のプロフィールページを表示させる処理（プロフィール表示処理）について、図７のフローチャートを参照して説明する。
【００３６】
まず、ユーザは、プロフィールを閲覧したい図３に示すような名刺を、端末１０に近接させる。端末１０のコード読取部１５は、名刺に印刷されているＱＲコードから、当該名刺の人物の社員ＩＤを取得し制御部１６に送信する（ステップＳ１０１）。制御部１６は、取得した社員ＩＤを含んだプロフィール閲覧要求を管理サーバ２０に送信する（ステップＳ１０２）。
【００３７】
管理サーバ２０の制御部２３は、端末１０からプロフィール閲覧要求を受信すると（ステップＳ１０３）、プロフィール閲覧画面を作成する（ステップＳ１０４）。
【００３８】
具体的には、制御部２３は、プロフィール閲覧要求に含まれる社員ＩＤをキーに、社員名や趣味などの各種の情報を、社員ＤＢ２２２から取得する。また、制御部２３は、社員が所属する会社の会社名などの情報を会社ＤＢ２２１から取得する。そして、制御部２３は、記憶部１２に記憶されているプロフィール閲覧画面のテンプレート画像に、取得した各種の情報を埋め込むことで、社員プロフィール閲覧画面を作成する。
【００３９】
なお、制御部２３は、プロフィール閲覧要求の送信元である端末１０のユーザが、個人情報管理サイトにログインしていない場合に、プロフィール閲覧画面を作成する前に、ユーザにログインを促すログイン画面を端末１０に送信してもよい。
【００４０】
続いて、制御部２３は、作成したプロフィール閲覧画面を、閲覧要求の送信元であるユーザの端末１０に送信する（ステップＳ１０５）。端末１０の制御部１６は、管理サーバ２０から、プロフィール閲覧画面を受信すると（ステップＳ１０６）、表示部１４に図８に示すように表示させる（ステップＳ１０７）。以上で、プロフィール閲覧処理は終了する。
【００４１】
ここで、図８に示すプロフィール閲覧画面について説明する。画面最上部の「○×株式会社」と表示されているヘッダ部分の画像は、会社ＤＢ２２１から取得したロゴ画像である。また、以降の社員の顔画像や、氏名や、趣味・特技などといった各種の情報は、社員ＤＢ２２２と会社ＤＢ２２１とから、当該社員の情報が取得されたものである。
【００４２】
また、プロフィール閲覧画面の最下部には、ＣＳＶ出力ボタンと、アドレス帳登録ボタンとが配置されている。ユーザが、端末１０の操作部１３を操作して、ＣＳＶ出力ボタンをクリックすると、制御部１６は、プロフィール閲覧画面に表示されている各種の情報をＣＳＶ（Comma-Separated Values）形式に変換して、記憶部１２に記憶する。また、ユーザが、端末１０の操作部１３を操作して、アドレス帳登録ボタンをクリックすると、その旨が管理サーバ２０に通知され、管理サーバ２０の制御部２３は、社員ＤＢ２２２にアクセスして、画面に表示されている社員の社員ＩＤを、当該ユーザのアドレス帳情報に登録する。
なお、ＣＳＶ出力ボタンとアドレス帳登録ボタンとをクリックせずとも、プロフィール閲覧画面が表示された時点で、自動的に、アドレス帳に登録したり、ＣＳＶ形式で個人情報を出力するようにしてもよい。
【００４３】
このように、プロフィール閲覧処理により、ユーザは、名刺に印刷されているＱＲコードを端末１０に読み取らせるという簡単な操作を行うだけで、当該名刺に記載されている情報より詳細な情報を表示するプロフィール画面を閲覧することができる。また、表示させた社員の詳細な情報を、ワンクリックでＣＳＶ形式で出力したり、自身のアドレス帳に登録することもできる。
【００４４】
（人脈検索処理）
続いて、人脈検索処理について、図９のフローチャートを参照して説明する。
まず、検索者である端末１０のユーザは、個人情報管理サイトにログインした後、図示せぬメニュー画面などから人脈検索を選択して、図１０に示すような検索条件入力画面を表示させる。図１０に示す画面では、社員名と、会社名と、キーワードとを検索条件として入力可能だが、これ以外の他の情報を検索条件として指定できるようにしてもよい。続いて、ユーザは、検索条件入力画面上で検索条件を入力して、検索開始ボタンをクリックする。制御部１６は、検索開始ボタンのクリックに応答して、入力された検索条件と検索者である端末１０のユーザ（ログインユーザ）の社員ＩＤとを含んだ検索開始要求を、管理サーバ２０に送信する（ステップＳ２０１）。
【００４５】
検索開始要求を受信すると（ステップＳ２０２）、管理サーバ２０の制御部２３は、受信した検索開始要求に含まれる検索条件を用いて、社員ＤＢ２２２から、検索条件に合致する社員を検出する（ステップＳ２０３）。検索条件に合致する社員が検出できなかった場合（ステップＳ２０４；Ｎｏ）、制御部２３は、その結果を端末１０に送信して人脈検索処理は終了する。
【００４６】
検索条件に合致する社員が検出できた場合（ステップＳ２０４；Ｙｅｓ）、制御部２３は、社員ＤＢ２２２を参照して、検索者である端末１０のユーザを起点として、当該ユーザのアドレス帳に登録されているユーザ、その登録されているユーザのアドレス帳に登録されているユーザ・・・というように、アドレス帳に登録されているユーザを順に辿っていき、最終的にステップＳ２０３で検出した社員に到達するルート（人脈）を検出する（ステップＳ２０５）。そして、制御部２３は、図１１に示すような、検出したルート（人脈）を図示する画面（人脈検索結果画面）を作成（ステップＳ２０６）し、検索要求の送信元である端末１０に送信する（ステップＳ２０７）。
【００４７】
図１１に示す人脈検索結果画面では、検索者であるユーザＡから検索条件に合致したユーザＥに到達する「ユーザＡ→ユーザＢ→ユーザＣ→ユーザＥ」と「ユーザＡ→ユーザＤ→ユーザＥ」の２つのルートが表示されている。即ち、社員ＤＢ２２２では、ユーザＡのアドレス帳にユーザＢが登録され、ユーザＢのアドレス帳にユーザＣが登録され、ユーザＣのアドレス帳にユーザＥが登録されており、また、ユーザＡのアドレス帳にはユーザＤが登録され、ユーザＤのアドレス帳にはユーザＥが登録されていることとなる。
【００４８】
続いて、端末１０の制御部１６は、人脈検索結果画面を受信すると（ステップＳ２０８）、表示部１４に表示する（ステップＳ２０９）。以上で、人脈検索処理は終了する。
【００４９】
このように、人脈検索処理により、検索条件に合致する人物を検索するだけの通常の検索とは異なり、検索された人物に検索者が到達するまでの人脈も検索される。従って、検索者は、得られた人脈を駆使して、検索条件に合致する人物とアポイントメントを取ることができるため、ビジネスを円滑に進めることができる。例えば、図１１の例では、検索者であるユーザＡは、ユーザＢとユーザＣとによる紹介メールを添えて、検索条件に合致するユーザＥとアポイントを取ることができる。
【００５０】
（認証・入力代行処理）
続いて、認証・入力代行処理について、オンライン銀行に口座を開設する場合を例に、図１２に示す端末１０の画面遷移図を参照して説明する。なお、このオンライン銀行は、個人情報管理システム１００により認証や入力の代行をすることを、事前の契約等により許可されているものとする。
【００５１】
まず、ユーザは、端末１０を操作して、オンライン銀行が提供するサイトにアクセスする。そして、図１２（Ａ）に示すメニュー一覧画面から口座開設を選択して、図１２（Ｂ）に示す画面を表示させる。そして、図１２（Ｂ）に示す画面において、通常の入力処理により口座を開設する場合は「それ以外の方」、個人情報管理システムの会員であることを利用して代行入力により口座を開設する場合は「会員の方」を選択する。
【００５２】
「それ以外の方」を選択すると、図１２（Ｃ）に示すような、氏名や住所などといった口座を開設するために必要な情報を入力するための入力フォームが表示される。そして、ユーザは、入力フォームに情報を入力して、入力ボタンをクリックすると、図１２（Ｄ）に示す確認画面が表示され、確認ボタンをクリックすることにより、入力内容に基づいた口座が登録される、図１２（Ｅ）に示す完了画面が表示される。
【００５３】
一方、「会員の方」を選択すると、オンライン銀行側から個人情報管理システム１００に処理が移る。即ち、オンライン銀行側のシステムから管理サーバ２０に対して、代行入力要求が送信され、この要求に応答して、管理サーバ２０は、まず、個人情報管理システム１００にアクセスするための図１２（Ｆ）に示すようなログイン画面を、端末１０に表示させる。ユーザは、操作部１３を操作して、ログイン画面に自身の社員ＩＤとパスワードとを入力し、ログインボタンをクリックし、管理サーバ２０に入力内容を含んだログイン要求を送信する。
【００５４】
続いて、管理サーバ２０は、端末１０からをログイン要求を受信すると、社員ＤＢ２２２を参照して、入力された社員ＩＤとパスワードとが対応づけられている社員情報があることを確認することで、ユーザ認証をする。そしてユーザ認証完了の後、管理サーバ２０は、口座を開設するために必要な社員名などの情報を社員ＤＢ２２２から取得して、図１２（Ｇ）に示す確認画面を端末１０の表示部１４に表示させる。そして、ユーザが確認画面の確認ボタンをクリックすると、管理サーバ１０は、銀行側のシステムにアクセスして、口座を開設するために取得した情報を用いて、口座を新規に開設することを依頼し、銀行側のシステムで口座が登録される（図１２（Ｅ））。
なお、管理サーバ１０は、口座を開設するための情報を暗号化して銀行側のシステムに送信し、銀行側のシステムが受信した情報を複合化し、復号化した情報を用いて口座を作成（登録）してもよい。このようにすることで、個人情報管理システム１００から銀行側のシステムに送信される個人情報は暗号化されて送信されるため、第三者に情報が漏洩される可能性が低くなり、セキュリティを高めることができる。なお、この場合、事前の契約などにより、個人情報管理システム１００と銀行側のシステムとの間で、暗号化、復号化の方式が共通に設定されている必要がある。
【００５５】
このように、オンライン銀行に口座を新規に作成する際、個人情報管理システム１００が管理している情報を用いることで、煩雑な入力操作を行わないで、口座を簡単に開設することができる。なお、銀行の口座を開設する処理に限らず、例えば、社員が、ＥＣサイトにおいて商品購入した際の配送先を指定する場合、ゲームサイトの会員登録やログイン認証をする場合、外部のサービスサイトからの要求により社員の年齢や性別などの個人情報が所定の条件を満たしているかを認証する場合などにも、同様に個人情報認証システム１００にアクセスして、当該システムが管理する社員の個人情報を用いて、入力や各種の認証処理を代行するようにしてもよい。このように、本個人情報管理システム１００では、管理している個人情報を用いて、他のサービスにおける認証や入力の処理を代行することにより、ユーザの入力操作を軽減することが可能となる。
【００５６】
（電子証明書発行処理）
続いて、電子証明書発行処理について、図１３のフローチャートを参照して説明する。
【００５７】
まず、端末１０のユーザは、個人情報管理サイトにログインした後、図示せぬメニュー画面などから電子証明書発行を選択して、図１４に示すような証明書発行画面を表示させる。続いて、ユーザは、証明書発行画面上で証明書を発行したいサイトを指定する情報（例えば、ＵＲＬ）を入力して、証明書発行ボタンをクリックする。制御部１６は、証明書発行ボタンのクリックに応答して、入力されたサイト指定情報と、端末１０のユーザ（ログインユーザ）の社員ＩＤとを含んだ証明書発行要求を、管理サーバ２０に送信する（ステップＳ３０１）。
【００５８】
証明書発行要求を受信すると（ステップＳ３０２）、管理サーバ１０の制御部２３は、ユーザ本人であることを証明する電子証明書を作成する（ステップＳ３０３）。具体的には、制御部２３は、受信した証明書発行要求に含まれる社員ＩＤに合致する社員を社員ＤＢ２２２から検索して、その社員の氏名や役職などの個人情報を取得する。そして、制御部２３は、取得した個人情報に証明用の電子署名を付した電子証明書を作成する。なお、電子証明書に付加する電子署名は、外部の認証局から取得したものであってもよい。
【００５９】
続いて、制御部２３は、作成した電子証明書を、証明書発行要求で指定されているサイトに発行（送信）する（ステップＳ３０４）。そして、制御部２３は、電子証明書の発行が完了したことを通知するための画面（証明書発行完了画面）を、証明書発行要求の送信元である端末１０に送信する（ステップＳ３０５）。
【００６０】
続いて、端末１０の制御部１６は、証明書発行完了画面を受信すると（ステップＳ３０６）、表示部１４に表示する（ステップＳ３０７）。以上で、電子証明書発行処理は終了する。
【００６１】
このように、個人情報管理システム１００では、管理している社員の個人情報を利用して、社員が指定したサイトに当該社員本人を証明する電子証明書を発行することが可能となる。
【００６２】
なお、上記実施形態は、種々の変形、および、応用が可能である。
例えば、管理サーバ２０が、社員毎に、他社員が社員をアドレス帳に登録した回数（又は登録した人数）をカウントして、そのカウント値を当該社員の社員情報に保存しておく。そして、管理サーバ２０は、カウント値が所定の閾値を超えた場合に、当該社員のプロフィール閲覧画面に、図１５に示すような信頼性を示すマークを表示してもよい。図１５の例では、社員の顔画像の下に、当該社員の信頼性を示す「信頼有」のマークが表示されている。また、カウント値を判別するための閾値を複数用意して、カウント値に基づいて、信頼の程度を示す信頼度を判別して、「信頼度（レベル８）」などのマークを表示させてもよい。このようにすることで、社員のプロフィール閲覧画面を表示した際に、信頼度を示すマークを確認することで、当該社員がどれだけ他者からアドレス帳に登録されている（即ち、信頼されている）のかを判別することが分かり、ビジネスの上でより有効な情報を得ることができる。
【００６３】
また、社員ＤＢ２２２に記憶されている社員情報のうち、社員ＩＤ、氏名、所属部署などといった頻繁に更新されない基本的な情報（基本ビジネスプロフィール情報）は会社側で管理し、会社情報と同様に一般社員からは登録、変更ができないようにしてもよい。このようにすることで、基本ビジネスプロフィール情報は、各社員に配布されている社員証等に記憶されている情報とほぼ同等な信頼性を持つこととなる。従って、この基本ビジネスプロフィール情報を用いることにより、上述した銀行口座の開設をはじめとする、インターネット上の様々なサービスにおける個人認証や証明の信頼性をより高めることが可能となる。
【００６４】
また、企業の社員の個人情報を管理する個人情報管理システム１００について説明したが、これに限らず、学校や各種団体などの生徒や会員の個人情報を管理するシステムにも、本発明は適用可能である。
【００６５】
また、端末１０のコード読取部１５は、ＱＲコードに限らず、バーコード等の他のコードからも、情報を読み取ることが可能である。また、端末１０のユーザが、コード読取部１５に代わり、操作部１３を操作することにより、閲覧したい社員の社員ＩＤや、プロフィール閲覧画面へアクセスするためのアクセスキーを直接入力して、プロフィール閲覧画面を表示してもよい。
【００６６】
なお、本発明の管理サーバ２０は、専用のハードウェアに限られるものではなく、通常のコンピュータシステムによっても実現することができる。
具体的には、上記各実施の形態では、管理サーバ２０のプログラムが、記憶部２２等に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行する管理サーバ２０を構成してもよい。
【００６７】
また、プログラムをインターネット等の通信ネットワーク上のサーバ装置が有するディスク装置等に格納しておき、例えば、搬送波に重畳させて、コンピュータにダウンロード等するようにしてもよい。さらに、通信ネットワークを介してプログラムを転送しながら起動実行することによっても、上述の管理サーバ２０の処理を達成することができる。
また、上述の機能を、ＯＳ（Operating System）が分担又はＯＳとアプリケーションの協働により実現する場合等には、ＯＳ以外の部分のみを媒体に格納して配布してもよく、また、コンピュータにダウンロード等してもよい。
【符号の説明】
【００６８】
１００      個人情報管理システム
１０      端末
２０      管理サーバ
３０      インターネット
【図１】
2011086198.tif 000003
【図２】
2011086198.tif 000004
【図３】
2011086198.tif 000005
【図４】
2011086198.tif 000006
【図５】
2011086198.tif 000007
【図６】
2011086198.tif 000008
【図７】
2011086198.tif 000009
【図８】
2011086198.tif 000010
【図９】
2011086198.tif 000011
【図１０】
2011086198.tif 000012
【図１１】
2011086198.tif 000013
【図１２】
2011086198.tif 000014
【図１３】
2011086198.tif 000015
【図１４】
2011086198.tif 000016
【図１５】
2011086198.tif 000017